(57)【特許請求の範囲】
【請求項１】
喀痰吸引用の真空発生装置であって、
吸引容器を備えた吸引器具と接続可能な配管端末器とハンドル部とを有する天面部と、底面部とを有する筐体と、
前記筐体に収容され、前記配管端末器に対して並列的に接続される第１及び第２のポンプ室を有し、前記底面部に設置される真空ポンプと、
前記筐体に収容され、前記真空ポンプに電力を供給する蓄電池と
を具備する真空発生装置。
【請求項２】
請求項１に記載の真空発生装置であって、
前記配管端末器と前記第１及び第２のポンプ室との間に接続される吸気フィルタと、
前記天面部と前記真空ポンプとの間に配置され、前記吸気フィルタを収容するフィルタ室と、をさらに具備する
真空発生装置。
【請求項３】
請求項２に記載の真空発生装置であって、
前記筐体は、前面部と、後面部とをさらに有し、
前記蓄電池及び前記フィルタ室は、前記前面部よりも前記後面部側又は前記底面部側に配置される
真空発生装置。
【請求項４】
請求項３に記載の真空発生装置であって、
前記後面部は、前記フィルタ室及び前記蓄電池の少なくとも１つを外部に露出させることが可能な開閉扉を有する
真空発生装置。
【請求項５】
請求項２〜４のいずれか１つに記載の真空発生装置であって、
前記第１及び第２のポンプ室に接続され、前記フィルタ室に収容される排気フィルタをさらに具備する
真空発生装置。
【請求項６】
請求項１〜５のいずれか１つに記載の真空発生装置であって、
前記真空ポンプは、ダイアフラムポンプである
真空発生装置。
【請求項７】
請求項１〜６のいずれか１つに記載の真空発生装置であって、
前記筐体は、前記天面部に設けられ前記蓄電池の残量を表示する表示計をさらに有する
真空発生装置。
【請求項８】
請求項１〜７のいずれか１つに記載の真空発生装置であって、
前記筐体を収容可能な収容部を有し、移動体に取り付け可能に構成された取付具をさらに具備する
真空発生装置。
【請求項９】
喀痰吸引用の吸引装置であって、
吸引容器と吸引チューブとを有する吸引器具と、
前記吸引チューブと接続される配管端末器とハンドル部とを有する天面部と、底面部とを有する筐体と、
前記筐体に収容され、前記配管端末器に対して並列的に接続される第１及び第２のポンプ室を有し、前記底面部に設置される真空ポンプと、
前記筐体に収容され、前記真空ポンプに電力を供給する蓄電池と
を有する真空発生装置と
を具備する吸引装置。
【発明の詳細な説明】
【技術分野】
【０００１】
本発明は、例えば、医療用吸引器具の負圧源として利用可能な可搬型の真空発生装置に関する。
【背景技術】
【０００２】
大規模な固定式の吸引供給設備を備えた医療施設においては、吸引供給設備と連絡する配管端末器（アウトレット）が病室や処置室の壁面に設置されており、この配管端末器に吸引器具を接続して吸引に必要な負圧を得るようにしている。一方、吸引処置を必要とされる患者を搬送する際は、配管端末器から負圧を得ることができないため、負圧源を備えた吸引器具を別途準備する必要がある。【０００３】
例えば特許文献１には、吸引器に接続される吸引容器及び吸引チューブを備えた内視鏡装置が開示されており、特許文献２には、ポンプアセンブリを内部に配置するポンプアセンブリ筐体と、吸引チューブを介して吸引した患者の体液を収集する容器とを備えた、持ち運び可能な吸引ポンプユニットが開示されている。
【先行技術文献】
【特許文献】
【０００４】
【特許文献１】特開２０００−２４５６９５号公報
【特許文献２】特許第５４１６８０５号公報
【発明の概要】
【発明が解決しようとする課題】
【０００５】
近年、災害時や病院前救急診療時、あるいは病院内での患者搬送時など、施設の吸引供給設備を使用できない様々な状況下での吸引源の確保が問題となっている。例えば、ストレッチャ等の移動体に吸引源を設置して使用する場合には、吸引源は小型であることが好ましい。また、移動体の周囲で作業する看護師や介助者との接触による吸引チューブの脱落や破損を回避する必要がある。【０００６】
さらに、吸引源を喀痰吸引用途に適用する場合、真空ポンプとしては比較的大きな流量のポンプが要求される。このような要求に応えるために大型の真空ポンプを採用すると、吸引源そのものの小型化が困難になるという問題がある。【０００７】
以上のような事情に鑑み、本発明の目的は、小型で大流量の吸引源を構成することができる真空発生装置を提供することにある。
【課題を解決するための手段】
【０００８】
上記目的を達成するため、本発明の一形態に係る真空発生装置は、筐体と、真空ポンプと、蓄電池とを具備する。
上記筐体は、吸引器具と接続可能な配管端末器とハンドル部とを有する天面部と、底面部とを有する。
上記真空ポンプは、上記筐体に収容され、上記配管端末器に対して並列的に接続される第１及び第２のポンプ室を有し、上記底面部に設置される。
上記蓄電池は、上記筐体に収容され、上記真空ポンプに電力を供給する。【０００９】
上記真空発生装置は、蓄電池を備えているため、別途の電力源を必要とせず、移動中においても所望とする負圧を供給することができる。
また、筐体の天面部に配管端末器が設けられているため、筐体の側方に吸引チューブが延出することを防ぐことができる。
さらに、真空ポンプは、配管端末器に対して並列的に接続される第１及び第２のポンプ室を有しているため、ポンプサイズの大型化を抑制しつつ、比較的大流量のポンプ性能を得ることができる。【００１０】
上記真空発生装置は、吸気フィルタと、フィルタ室とをさらに具備してもよい。
上記吸気フィルタは、上記配管端末器と上記第１及び第２のポンプ室との間に接続される。上記フィルタ室は、上記天面部と上記真空ポンプとの間に配置され、上記吸気フィルタを収容する。【００１１】
上記筐体は、前面部と、後面部とをさらに有し、上記蓄電池及び上記フィルタ室は、上記前面部よりも上記後面部側又は底面部側に配置されてもよい。【００１２】
上記後面部又は底面部は、上記フィルタ室及び上記蓄電池の少なくとも１つを外部に露出させることが可能な開閉扉を有してもよい。
これにより、吸気フィルタの交換及び蓄電池の着脱の作業性を高めることができる。【００１３】
上記真空発生装置は、排気フィルタをさらに具備してもよい。上記排気フィルタは、上記第１及び第２のポンプ室に接続され、上記フィルタ室に収容される。【００１４】
上記真空ポンプは、ダイアフラムポンプであってもよい。
ダイアフラムポンプは、低ダストであり、動作音も比較的静かであるため、医療用の真空発生装置として好適である。【００１５】
上記筐体は、上記天面部に設けられ上記蓄電池の残量を表示する表示計をさらに有してもよい。【００１６】
上記真空発生装置は、取付具をさらに具備してもよい。上記取付具は、上記筐体を収容可能な収容部を有し、移動体に取り付け可能に構成される。
これにより、ストレッチャ等の移動体に真空発生装置を容易に取り付けることが可能となる。
【発明の効果】
【００１７】
以上述べたように、本発明によれば、周囲に吸引チューブを延出させることなくストレッチャ等の移動体に搭載可能であり、小型で大流量の吸引源を構成することができる。
【図面の簡単な説明】
【００１８】
【図１】本発明の一実施形態に係る真空発生装置の全体を示す正面斜視図である。
【図２】上記真空発生装置の背面斜視図である。
【図３】上記真空発生装置の内部構造を示す正面斜視図である。
【図４】上記真空発生装置の背面斜視図である。
【図５】上記真空発生装置の構成を示すブロック図である。
【図６】上記真空発生装置の適用例を示す概略斜視図である。
【発明を実施するための形態】
【００１９】
以下、図面を参照しながら、本発明の実施形態を説明する。
【００２０】
図１は、本発明の一実施形態に係る真空発生装置１００の全体を示す正面斜視図、図２はその背面斜視図である。図３は、真空発生装置１００の内部構造を示す正面斜視図、図４はその背面斜視図である。図５は、真空発生装置１００の構成を示すブロック図である。
【００２１】
図１〜図４においてＸ軸、Ｙ軸及びＺ軸は、相互に直交する３軸方向を示しており、Ｘ軸方向が前後方向（奥行方向）に、Ｙ軸方向が左右方向（幅方向）に、Ｚ軸方向が上下方向（高さ方向）にそれぞれ相当する。
【００２２】
本実施形態の真空発生装置１００は、筐体１０と、筐体１０の内部にそれぞれ収容された真空ポンプ４０、蓄電池５０、制御盤８０等を備える。真空発生装置１００は、例えば、喀痰吸引等の医療器具用可搬型負圧源として構成される。
【００２３】
筐体１０は、真空発生装置１００の外観を構成し、天面部１１、底面部１２、前面部１３、後面部１４及び２つの側面部１５，１６を有する概略直方体形状に形成される。筐体１０は、金属材料又はプラスチック材料で構成される。
筐体１０の各部の大きさは特に限定されず、例えば本実施形態では、Ｘ軸方向の寸法が約１３０ｍｍ、Ｙ軸方向の寸法が約２３０ｍｍ、Ｚ軸方向の寸法が約２５０ｍｍである。
【００２４】
天面部１１は、配管端末器２１と、ハンドル部２２とを有する。
配管端末器２１は、図示しない吸引器具の吸引チューブの先端部（アダプタプラグ）と接続可能に構成される。本実施形態では、規格が異なる２種類の配管端末器２１Ａ，２１Ｂを備えているが、誤接続を防止するため、何れか一方のみを備えていてもよい。
【００２５】
ハンドル部２２は、真空発生装置１００を持ち運ぶ際にユーザにより把持される領域である。ハンドル部２２は、ユーザの手指が進入可能な凹部と、その一方（図示の例では前方）の縁部に設けられたフック部とを有する。これに限られず、ハンドル部２２は、天面部１１に突設されたレバーやグリップ等で構成されてもよい。
【００２６】
天面部１１にはさらに、電源スイッチ２３、蓄電池５０の残電圧を表示する表示計２４、表示計２４を起動させるチェックボタン２５等が設けられる。表示計２４は、例えば複数のセグメントを有し、残電圧の大きいほど点灯するセグメントの数が多くなるように構成される。これに代えて、表示計２４には現時点からの残りの使用可能時間等が表示されてもよい。
【００２７】
後面部１４には、上下方向に並んで配置された２つの開閉扉３３，３４が設けられている。開閉扉３３，３４は、一方の側面部１６側に取り付けられたヒンジＨを介して、それぞれＺ軸まわりに回動可能に構成される。
【００２８】
側面部１５，１６には、筐体１０の内外を連通させる通孔３１，３２がそれぞれ設けられている。通孔３１，３２は主として、真空ポンプ４０の排気ガスを筐体１０の外部へ排出する排気窓としての機能と、真空ポンプ４０の冷却用窓としての機能とを有する。
【００２９】
真空ポンプ４０は、図３及び図４に示すように、筐体１０の底面部１２上に防振ゴム４４を介して設置される。真空ポンプ４０は、第１のポンプ室４１０を有する第１のポンプ部４１と、第２のポンプ室４２０を有する第２のポンプ部４２と、第１及び第２のポンプ部４２を共通に駆動するモータ部４３とを有するデュアルヘッドの吸引ポンプで構成される。
【００３０】
真空ポンプ４０は、ダイアフラムポンプで構成される。ダイアフラムポンプは、ピストンポンプ等と比較して低ダスト及び低騒音というメリットがあるため、医療用としては特に好適である。
【００３１】
モータ部４３は、例えばＤＣモータで構成され、所定回転数で駆動されることにより第１及び第２のポンプ部４１，４２を作動させる。モータ部４３の回転軸の両端部には図示しないファンが取り付けられている。当該ファンは、真空ポンプ４０の両側部に取り付けられたファンカバー４５，４６を介して取り込んだ空気により、第１及び第２のポンプ部４１，４２を空冷する。筐体１０の側面部１５，１６に取り付けられた通孔３１，３２は、これらファンカバー４５，４６と対向する位置にそれぞれ配置されている。
【００３２】
ここで、第１及び第２のポンプ室４１０，４２０は、筐体１０の幅方向（Ｙ軸方向）に配列されているため、筐体１０内にコンパクトに収容することができる。また、第１及び第２のポンプ室４１０，４２０を上述のように配置することで、筐体１０の天面部１１と真空ポンプ４０との間に十分なスペースを確保することができるため、後述するフィルタ室Ｓ１を効率よく設置することができる。
【００３３】
第１及び第２のポンプ室４１０，４２０の吸気口は相互に連通しており、吸気ラインを介して配管端末器２１に対して並列的に接続される。吸気ラインは、マニホールド６０、第１の吸気管６１、第２の吸気管６２、吸気フィルタ７１及び第３の吸気管６３を有する。
【００３４】
マニホールド６０は、配管端末器２１と第１の吸気管６１との間を連通させる。第２の吸気管６２及び吸気フィルタ７１は、筐体１０の天面部１１と真空ポンプ４０との間に設置されたフィルタ室Ｓ１の内部に配置される。吸気フィルタ７１は、配管端末器２１から第１及び第２のポンプ室４１０，４２０へ吸入されるガス中の塵埃を収集し、環境の汚染を防止するためのものであり、第２の吸気管６２に対して着脱（交換）可能に構成される。
【００３５】
第１及び第２のポンプ室の排気口は相互に連通しており、排気管６４を介して排気フィルタ７２に接続される。排気フィルタ７２は、フィルタ室Ｓ１の内部に配置されており、排気管６４に対して着脱（交換）可能に構成される。
【００３６】
フィルタ室Ｓ１は、筐体１０の前面部１３よりも後面部１４側に配置されており、後面部１４に設けられた第１の開閉扉３３を開放することで、筐体１０の外部からフィルタ室Ｓ１へアクセス可能に構成される。これにより、吸気フィルタ７１及び排気フィルタ７２の交換作業が容易となる。
【００３７】
蓄電池５０は、真空ポンプ４０へ電力を供給する充電可能な二次電池で構成される。蓄電池５０は、リチウムイオンバッテリ、ニッケル水素バッテリ等の適宜の蓄電池で構成される。本実施形態において蓄電池５０の定格電圧は２４Ｖであるが、勿論これに限られない。
【００３８】
蓄電池５０は、筐体１０の前面部１３よりも後面部１４側又は底面部１２側に配置されたバッテリホルダＳ２に装着される。バッテリホルダＳ２には、蓄電池５０の正極及び負極と接続される図示しない端子部が設けられている。バッテリホルダＳ２は、後面部１４又は底面部１２と真空ポンプ４０との間に形成されており、後面部１４に設けられた第２の開閉扉３４を開放することで、筐体１０の外部からバッテリホルダＳ２へアクセス可能に構成される。これにより、蓄電池５０の交換作業が容易となる。
【００３９】
制御盤８０は、筐体１０の天面部１１の内面に対向して配置され、第１の配線部材８１を介してバッテリホルダＳ２（蓄電池５０）と電気的に接続される。制御盤８０は、第２の配線部材８２を介して真空ポンプ４０のモータ部４３に電気的に接続される。さらに制御盤８０は、第３の配線部材８３を介して、筐体１０の後面部１４に取り付けられたＡＣ電源端子（ＤＣジャック）８３ａに接続される。ＡＣ電源端子８３ａは、図示しないアダプタを介して商用電源に接続可能であり、蓄電池５０の充電時、あるいは商用電源による真空発生装置１００の駆動時に用いられる。
【００４０】
図５に示すように、制御盤８０は、電源スイッチ２３、表示計２４及びチェックボタン２５と電気的に接続される。制御盤８０は、真空ポンプ４０を駆動する駆動回路８０１と、表示計２４の点灯を制御する制御回路８０２とを有する。制御盤８０は、電源スイッチ２３の入力操作を受けて、電源スイッチ２３内のランプ部を点灯させるとともに、真空ポンプ４０を駆動する。
【００４１】
真空ポンプ４０の駆動により、配管端末器２１に接続された図示しない吸引容器の内部が排気されて、当該吸引容器の内部が所定圧力（例えば、３７ｋＰａ）の減圧雰囲気に維持される。
【００４２】
ここで、第１及び第２のポンプ室４１０，４２０は、配管端末器２１に対して並列的に接続されているため、これらが直列的に接続される場合と比較して、比較的大流量（例えば、毎分１８リットル）の吸引性能を確保することができる。したがって、大型の真空ポンプを用いることなく、例えば喀痰吸引に必要とされる吸引性能を安定に確保することができる。
【００４３】
本実施形態によれば、蓄電池５０を内蔵しているため、商用電源や発電機等の外部電源を必要としない。このため、災害時や病院前救急診療時、あるいは患者搬送時などにおいても所望とする負圧を安定に供給することができる。
【００４４】
さらに本実施形態においては、筐体１０の天面部１１に蓄電池５０の残留電圧を表示する表示計２４が設けられているため、蓄電池５０の充電タイミングの判断が容易となる。また、チェックボタン２５の押圧操作時にのみ表示計２４が作動（点灯）するように構成されることで、表示計２４が常時作動する場合と比較して、蓄電池５０の消費電力の低下を抑えることができる。
【００４５】
さらに本実施形態によれば、配管端末器２１、ハンドル部２２、電源スイッチ２３、表示計２４、チェックボタン２５等が筐体１０の天面部１１に集約して配置されているため、操作性や作業性の向上を図ることができる。特に、配管端末器２１が天面部１１に設けられることで、真空発生装置１００に対して吸引器具を垂直方向から挿し込むことになるため、筐体１０の側方に吸引チューブ等が張り出すことを阻止することができる。
【００４６】
図６は、本実施形態の一適用例として、患者搬送用のストレッチャ１への真空発生装置１００の搭載例を示す概略図である。真空発生装置１００は、ストレッチャ１に取付具１５０を介して取り付けられる。取付具１５０は、真空発生装置１００（筐体１０）を収容可能な収容部１５１を有する箱体であって、フック部１５２等の適宜の係合機構を介してストレッチャ１の架台２に取り付け可能に構成される。取付具１５０の構成は特に限定されず、典型的には、把持部１５３と、収容部１５１の内外を連通させる通気部１５４等を有する。
【００４７】
本実施形態の真空発生装置１００は小型で低ダスト、低騒音のため、ストレッチャ１に載せられる患者の頭部側に取付具１５０を設置することができる。これにより、患者の口腔部等に装着される吸引器具９０の近傍に真空発生装置１００を設置することができるため、患者と吸引容器９１との間を接続する吸引チューブ９２、あるいは吸引容器９１と配管端末器２１との間を接続する吸引チューブ９３の長さに制限がある場合に特に有利となる。さらに、筐体１０の天面部１１にハンドル部２２が設けられているため、取付具１５０に対する真空発生装置１００の着脱も容易である。
【００４８】
吸引容器９１は、ストレッチャ１に取り付けられたポール３の適宜の高さ位置に設置される。このため、ストレッチャ１の周囲のスペースを確保することができるため、ストレッチャ１の搬送操作性やストレッチャ１の周囲で作業する看護師や介助者との干渉を回避することができる。
【００４９】
また、本実施形態の真空発生装置１００によれば、配管端末器２１が筐体１０の天面部１１に配置されているため、吸引チューブ９３がストレッチャ１の周囲に延出することが防止される。このため、ストレッチャ１の周囲で作業する看護師や介助者との接触により吸引チューブ９３が引っ張られて吸引容器９１や配管端末器２１から脱落することを極力回避することができる。
【００５０】
さらに、吸引容器９１が真空発生装置１００とは別に構成されているため、吸引器具９０の使用後における吸引物の廃棄が容易となり、真空発生装置１００の消毒、清掃作業も不要となる。
【００５１】
以上、本発明の実施形態について説明したが、本発明は上述の実施形態にのみ限定されるものではなく種々変更を加え得ることは勿論である。
【００５２】
例えば以上の実施形態では、真空発生装置１００がストレッチャ１へ搭載される例について説明したが、これに限られず、車いすや救急車両、ヘリコプター等の移動体にも搭載可能である。
【００５３】
また以上の実施形態では、真空発生装置は、喀痰吸引器具の負圧源として構成されたが、これに限られず、血液等の体液を吸引するドレナージ等の他の医療用器具にも本発明は適用可能である。さらに、医療用以外の他の用途にも本発明は適用可能である。
【符号の説明】
【００５４】
１…ストレッチャ
１０…筐体
１１…天面部
１２…底面部
１３…前面部
１４…後面部
２１Ａ，２１Ｂ，２１…配管端末器
２２…ハンドル部
２３…電源スイッチ
２４…表示計
２５…チェックボタン
３３，３４…開閉扉
４０…真空ポンプ
４１０…第１のポンプ室
４２０…第２のポンプ室
４３…モータ部
５０…蓄電池
７１…吸気フィルタ
７２…排気フィルタ
８０…制御盤
９０…吸引器具
１００…真空発生装置
１５０…取付具
Ｓ１…フィルタ室
Ｓ２…バッテリホルダ
【図１】
0006616051.tif 000002
【図２】
0006616051.tif 000003
【図３】
0006616051.tif 000004
【図４】
0006616051.tif 000005
【図５】
0006616051.tif 000006
【図６】
0006616051.tif 000007